(57)【要約】      （修正有）【課題】取付け取外しが簡単で風に飛ばされにくゝ窓とカバーの間に容易に大きな隙間が出来にくゝフロント用の窓カバーに限定されず、ボデイの形状が異なる他の窓や他車種の窓にも転用出来るようにする。又ワイパー等でカバーをおさえる必要をなくし、ワイパーが雪等に凍り付かない、自動車の全天候型窓用保護カバーを提供する。【解決手段】マグネットテープ１（マグネットは強力タイプを使用する。）にカバー２（防水、断熱加工処理した、布製、あるいはこれと同等の性質のもので多少伸縮性を持たせたもの）にマジックテープを数ヶ所（８ヶ所程度）取付け（接着剤か縫いつけにより）る。【選択図】図１
0003107862.tif 000002
【実用新案登録請求の範囲】
【請求項１】
自動車、窓用の保護カバーに、円形のマジックテープを数ケ所つけたものと、強力なマグネットテープの端に、円形のマジックテープをつけた、吊具とで、自動車窓用の保護カバーを取付ける、自動車窓用の保護カバーセット。
【考案の詳細な説明】
【技術分野】
【０００１】  本考案は、取付け取外しが車体の形状に左右されず、風等に飛ばされにくい自動車の窓用全天候型保護カバーセットに関するものである。
【背景技術】
【０００２】  従来の自動車用窓の保護カバーは、フロントにのせるだけのものか、サイドミラーに掛けておくか、ワイパーでおさえておくだけだった。
【考案の開示】
【考案が解決しようとする課題】
【０００３】  これは次のような欠点があった。風に弱く簡単に外れ飛ばされ安くワイパー等でおさえても、風でカバーの端がまくれ、カバーとして不完全であり、又ワイパー等でおさえると、ワイパー自体雪等におゝわれ、カバーに凍り付く事があった。又車種によって形状が異なるので、カバー自体フロント用のみが多く他の窓や他車への転用がむずかしかった。
【課題を解決するための手段】
【０００４】  マグネットテープの端に円形のマジックテープを取付ける。次に（２）のカバー（防水、断熱加工処理した、布製、あるいはこれと同等の性質のもので多少伸縮性を持たせたもの）にマジックテープ４を数ケ所（８ケ所程度）取付け（接着剤か縫い付けにより）る。
【考案の効果】
【０００５】  カバー（２）が簡単に取付け又は、取外しが出来る。（１）、（３）の吊り具の本数の増減によって風力の度合に対応出来、強い風にも対応出来る。風のない場合は、（１）、（３）の本数は２〜４本で可能であり、又ワイパー自体、雪等にうもれず、窓に凍り付く事がなく、ゴム製のマグネットテープなので、車の形状や窓の位置を選ぶ必要もない。
（１）、（２）に円形のマジックテープを貼り付けてあるので、吊り具の方向を円を中心にどの方向にも向ける事が出来、マジックテープの貼り付け面積を減ずる事がないので、強く吊り具を引っ張る事が、出来るので（２）と車体の間にすき間や、しわが出来ず、雪やほこり、雨水、陽射しから本来のガードが出来る。
【考案を実施するための最良の形態】
【０００６】  以下、本来の形態について説明する。
（イ）従来のゴムマグネットテープ（強力なマグネット）を（１）の様に先を円にした、形につくり円の部分に（３）のマグネットテープを接着剤で貼りつける。
（ロ）（２）の保護カバーに図３の様にマグネットテープの３のマジックテープよりやゝ大きめの円形のマジックテープ（４）を数ヶ所（８ヶ所）貼り付け（接着剤又は縫い付け）る。フロントやリヤ用の窓など車種により窓の形が異なるので、それにあった数を設定すればよいが、本製品はフロント用でも他の窓にも転用可能であり、保護カバーの形を車種や窓の形にあまり制約されないで、転用可能であり、又リヤやサイドの窓用カバーをつくっても良い。
【図面の簡単な説明】
【０００７】
【図１】本考案の斜視図である。
【図２】本考案の上部平面図と側面図と下部底面図である。
【図３】本考案の自動車の窓用保護カバーの斜視図である。
【符号の説明】
【０００８】１  マジックテープ付ゴムマグネットテープ
２  マジックテープ付自動車用窓の保護カバー
３  円形マジックテープ（凸型）
４  円形マジックテープ（凹型）
【図１】
0003107862.tif 000003
【図２】
0003107862.tif 000004
【図３】
0003107862.tif 000005
【手続補正書】
【提出日】平成16年8月16日(2004.8.16)
【手続補正１】
【補正対象書類名】実用新案登録請求の範囲
【補正対象項目名】請求項１
【補正方法】変更
【補正の内容】
【請求項１】
自動車窓用の保護カバーに、円形の面ファスナーを数ケ所つけたものと、強力なマグネットテープの端に、円形の面ファスナーをつけた、吊具とで、自動車窓用の保護カバーを取付ける、自動車窓用の保護カバーセット。
【手続補正２】
【補正対象書類名】明細書
【補正対象項目名】０００４
【補正方法】変更
【補正の内容】
【０００４】  マグネットテープの端に円形の面ファスナーを取付ける。次に（２）のカバー（防水、断熱加工処理した、布製、あるいはこれと同等の性質のもので多少伸縮性を持たせたもの）にマジックテープ４を数ケ所（８ケ所程度）取付け（接着剤か縫い付けにより）る。
【手続補正３】
【補正対象書類名】明細書
【補正対象項目名】０００５
【補正方法】変更
【補正の内容】
【０００５】  カバー（２）が簡単に取付け又は、取外しが出来る。（１）、（３）の吊り具の本数の増減によって風力の度合に対応出来、強い風にも対応出来る。風のない場合は、（１）、（３）の本数は２〜４本で可能であり、又ワイパー自体、雪等にうもれず、窓に凍り付く事がなく、ゴム製のマグネットテープなので、車の形状や窓の位置を選ぶ必要もない。
（１）、（２）に円形の面ファスナーを貼り付けてあるので、吊り具の方向を円を中心にどの方向にも向ける事が出来、面ファスナーの貼り付け面積を減ずる事がないので、強く吊り具を引っ張る事が出来るので（２）と車体の間にすき間や、しわが出来ず、雪やほこり、雨水、陽射しから本来のガードが出来る。
【手続補正４】
【補正対象書類名】明細書
【補正対象項目名】０００６
【補正方法】変更
【補正の内容】
【０００６】  以下、本来の形態について説明する。
（イ）従来のゴムマグネットテープ（強力なマグネット）を（１）の様に先を円にした、形につくり円の部分に（３）のマグネットテープを接着剤で貼りつける。
（ロ）（２）の保護カバーに図３の様にマグネットテープの３の面ファスナーよりやゝ大きめの円形の面ファスナー（４）を数ケ所（８ケ所）貼り付け（接着剤又は縫い付け）る。
フロントやリヤ用の窓など車種により窓の形が異なるので、それにあった数を設定すればよいが、本製品はフロント用でも他の窓にも転用可能であり、保護カバーの形を車種や窓の形にあまり制約されないで、転用可能であり、又リヤやサイドの窓用カバーをつくっても良い。
【手続補正５】
【補正対象書類名】明細書
【補正対象項目名】０００８
【補正方法】変更
【補正の内容】
【０００８】１．面ファスナー付ゴムマグネットテープ
２面ファスナー付自動車用窓の保護カバー
３  円形面ファスナー（凸型）
４  円形面ファスナー（凹型）
【手続補正６】
【補正対象書類名】図面
【補正対象項目名】図２
【補正方法】変更
【補正の内容】
【図２】
0003107862.tif 000006
【手続補正７】
【補正対象書類名】図面
【補正対象項目名】図３
【補正方法】変更
【補正の内容】
【図３】
0003107862.tif 000007
【手続補正書】
【提出日】平成16年11月19日(2004.11.19)
【手続補正１】
【補正対象書類名】手続補正書
【補正対象項目名】手続補正８
【補正方法】削除
【補正の内容】